(57)【特許請求の範囲】
【請求項１】
地上デジタルＴＶ放送における放送波を受信する受信手段と、
前記受信した放送波を異なる帯域において帯域制限して複数分岐させる分岐手段と、
前記異なる帯域において帯域制限された複数の受信波から時間軸上に連続するパイロット信号のコンティニュアルパイロット（ＣＰ）同期又は時間軸上に点在するパイロット信号のスキャタードパイロット（ＳＰ）同期のいずれかを出力するＣＰ／ＳＰ同期切替回路と、
前記ＣＰ／ＳＰ同期切替回路からの複数出力の内で、受信状態の良いいずれかの信号を選択するＣＰ／ＳＰ同期選択回路と、
電圧によって周波数を可変する発振器、前記発振器から出力される信号の位相に同期する信号を出力する位相同期ループ、温度変化、湿度変化、周波数変動、一定時間経過のうち少なくとも１つが設定した値を超えた場合に、前記ＣＰ／ＳＰ同期選択回路で選択された信号と前記発振器からの出力信号との差分を前記発振器に入力するスイッチを有する同期回路と、
受信した放送波を前記同期回路からの出力信号で周波数変換する周波数変換手段とを有することを特徴とする簡易ＴＴＬ受信装置。
【請求項２】
前記ＣＰ／ＳＰ同期切替回路は、電源投入時及び受信入力電界レベル低下時にＣＰ同期に切り替え、前記以外の時にＳＰ同期に切り替えることを特徴とする請求項１記載の簡易ＴＴＬ受信装置。
【請求項３】
前記ＣＰ／ＳＰ同期選択回路は、各ＣＰ／ＳＰ同期の平均化の比較結果、個別周波数の平均監視の結果、受信入力電界レベルの低下監視の結果、それぞれの周波数の全体の平均監視の結果に従ってＣＰ／ＳＰ同期切替回路から受信状態の良好な信号を選択する回路であることを特徴とする請求項１又は請求項２記載の簡易ＴＴＬ受信装置。
【請求項４】
請求項１乃至３記載の前記簡易ＴＴＬ受信装置を備えることを特徴とする放送所装置。
【請求項５】
請求項１乃至３記載の前記簡易ＴＴＬ受信装置と、地上デジタルＴＶ放送におけるリンクするマイクロ回線からマイクロ波を受信するＴＴＬ受信装置と、放送波に変調する放送機と、前記ＴＴＬ受信装置又は前記簡易ＴＴＬ受信装置の出力のいずれかを選択して前記放送機に出力する切替器とを有することを特徴とする放送所装置。
【発明の詳細な説明】
【０００１】
【発明の属する技術分野】
本発明は、地上デジタルＴＶ放送の放送所に用いられる受信装置に係り、特に放送波を受信してリンクを構成する周波数同期回路を持つ簡易ＴＴＬ受信装置及び放送所装置に関する。
【０００２】
【従来の技術】
地上デジタルＴＶ放送に用いられる従来の装置について図５を用いて説明する。図５は、従来の地上デジタルＴＶ放送システムの一部を示す構成ブロック図である。
従来の地上デジタルＴＶ放送システムにおける中継放送所１０，２０は、図５に示すように、中継放送所１０として、ＳＴＬ装置用空中線１１と、ＳＴＬ受信装置（ＳＴＬ  ＲＸ）１２と、ＴＴＬ送信装置（ＴＴＬ  ＴＸ）１３と、ＴＴＬ装置用空中線１４と、放送機１５と、放送機用空中線１６とから構成され、中継放送所２０として、ＴＴＬ装置用空中線２１と、ＴＴＬ受信装置（ＴＴＬ  ＲＸ）２２と、ＴＴＬ送信装置（ＴＴＬ  ＴＸ）２３と、ＴＴＬ装置用空中線２４と、放送機２５と、放送機用空中線２６とから構成されている。
【０００３】
図５におけるシステムの動作を説明する。
中継放送所１０において、ＳＴＬ装置用空中線１１は、リンクするマイクロ回線からマイクロ波を取り込む。ＳＴＬ装置用空中線１１で取り込まれた信号はＳＴＬ受信装置１２で受信され、受信信号はＴＴＬ送信装置１３用と放送機１５用にそれぞれ変換され、出力される。
ここで、ＳＴＬ受信装置１２とは、Studio to Transmitter Linkの受信装置である。
【０００４】
ＳＴＬ受信装置１２で受信された信号はＴＴＬ送信装置１３で変調されてＴＴＬ装置用空中線１４を介してマイクロ回線にて次段の中継所へ送信される。
ここで、ＴＴＬ受信装置とは、Transmitter to Transmitter Link の受信装置である。
【０００５】
また、ＳＴＬ受信装置１２で受信された信号は放送機１５で放送波に変調されて放送機用空中線１６を介して送信される。
この放送波は、ＴＶ受像機で受信されてＴＶ映像及び音声が放映されるものである。
【０００６】
次に、中継放送所２０において、中継放送所１０のＴＴＬ装置用空中線１５から送出されたマイクロ波はＴＴＬ装置用空中線２１により取り込まれ、ＴＴＬ受信装置２２でＴＴＬ受信される。その受信信号はＴＴＬ送信装置２３用と放送機２５用にそれぞれ変換され、出力される。
【０００７】
ＴＴＬ受信装置２３は、入力した信号をＴＴＬ送信してＴＴＬ装置用空中線２４を介して次段の中継所にマイクロ波として送出する。
また、放送機２５は、入力された信号を放送波に変調し、放送機用空中線２６を介して送信する。
【０００８】
尚、デジタル放送の従来技術として、平成７年（１９９５年）３月３１日公開の特開平７−８６９８１号（出願人：日本放送協会、発明者：加藤久和他）がある。
この発明は、伝送するアナログ信号を階層符号化手段により高速及び低速ビットレートのデジタル信号に変換し、これら信号を主要変調信号（高速）とスペクトル拡散変調信号（低速）で送信し、受信側では、両変調波を分離して復調し、階層復号化手段で階層復号化し、アナログ信号を再生するものであり、マイクロ波帯において極めて低いＣ／Ｎでも受信可能としたものである。
【０００９】
【発明が解決しようとする課題】
しかしながら、上記従来の地上デジタルＴＶ放送の技術では、以下に示す問題点があった。
第１の問題点として、マイクロ回線を用いた各リンク区間の全てに周波数の割り当てが必要であり、周波数の削減ができず、周波数の有効利用を図ることができないものとなっていた。
【００１０】
第２の問題点として、高安定度の発振器を送信装置及び受信装置に使用しない限り、ＳＴＬ装置用空中線１１に取り込まれる受信波に対して、ＴＴＬ装置用空中線１４から送出される送信波、ＴＴＬ装置用空中線２１に取り込まれる受信波、ＴＴＬ装置用空中線２４から送出される送信波との間で同期がとることができないものとなっていた。
【００１１】
また、第３の問題点として、送信装置及び受信装置に高安定度の発振器を用いなければ、放送機用空中線１６から送出される送信波、放送機用空中線２６から送出される送信波の同期をとることができないものとなっていた。
【００１２】
本発明は上記実情に鑑みて為されたもので、従来技術では全リンク区間に周波数の割り当てが必要であったものを、当該区間でのリンク用周波数を不要とし、周波数の削減を図ることができ、更に信号の同期をとることができる簡易ＴＴＬ受信装置及び放送所装置を提供することを目的とする。
【００１４】
【課題を解決するための手段】
本発明は、簡易ＴＴＬ受信装置において、地上デジタルＴＶ放送における放送波を受信する受信手段と、受信した放送波を異なる帯域において帯域制限して複数分岐させる分岐手段と、異なる帯域において帯域制限された複数の受信波から時間軸上に連続するパイロット信号のコンティニュアルパイロット（ＣＰ）同期又は時間軸上に点在するパイロット信号のスキャタードパイロット（ＳＰ）同期のいずれかを出力するＣＰ／ＳＰ同期切替回路と、ＣＰ／ＳＰ同期切替回路からの複数出力の内で、受信状態の良いいずれかの信号を選択するＣＰ／ＳＰ同期選択回路と、電圧によって周波数を可変する発振器、発振器から出力される信号の位相に同期する信号を出力する位相同期ループ、温度変化、湿度変化、周波数変動、一定時間経過のうち少なくとも１つが設定した値を超えた場合に、ＣＰ／ＳＰ同期選択回路で選択された信号と前記発振器からの出力信号との差分を前記発振器に入力するスイッチを有する同期回路と、受信した放送波を同期回路からの出力信号で周波数変換する周波数変換手段とを有することを特徴としており、地上デジタルＴＶ放送における周波数割り当てを少なくし、周波数の有効利用を図ることができる。
【００１５】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１６】
本発明に係る簡易ＴＴＬ受信装置は、地上デジタルＴＶ放送における放送波を受信して複数に分岐させ、その中から受信状態の良好な受信放送波を選択して同期を取得し、次段に放送波又はマイクロ波を送出するものであり、地上デジタルＴＶ放送における周波数割り当てを少なくし、周波数の有効利用を図ることができる。
【００１７】
また、本発明に係る簡易ＴＴＬ受信装置は、地上デジタルＴＶ放送における放送波を受信して複数に分岐させると共に当該受信した複数の放送波において受信状態の良好な受信放送波を選択する選択手段と、入力される信号によって発振する周波数を可変にする発振手段と、温度変化、湿度変化、周波数変動、一定時間経過のうちいずれかが設定値を超えた場合に、選択手段で選択した信号を基にして発振手段を制御し、発振手段からの出力信号の位相に同期する信号を出力する同期手段と、同期手段から出力される信号で受信した放送波を周波数変換して送出する周波数変換手段とを備えるものであり、地上デジタルＴＶ放送における周波数割り当てを少なくし、周波数の有効利用を図ることができる。
【００１８】
尚、上記選択手段は図２のＣＰ／ＳＰ同期切替回路及びＣＰ／ＳＰ同期選択回路に相当し、上記発振手段は図２のＶＣＸＯ６２に相当し、上記同期手段は図２の同期回路に相当し、上記周波数変換手段は図２の周波数変換部６９に相当している。
【００１９】
また、本発明に係る放送所装置は、上記簡易ＴＴＬ受信装置を予備とし、ＴＴＬ受信装置を現用とし、これら受信装置の状態に応じて選択する現用／予備切替器と、選択された受信信号を放送波に変調する放送機とを備えるものであり、２波周波数ダイバシチを構成でき、周波数の割り当てを少なくし、周波数の有効利用を図ることことができる。
【００２０】
本発明の実施の形態に係る簡易ＴＴＬ装置が用いられる地上デジタルＴＶ放送システムについて図１を用いて説明する。図１は、本発明の実施の形態に係る簡易ＴＴＬ装置が用いられる地上デジタルＴＶ放送システムの構成ブロック図である。尚、図５と同様の構成をとる部分については同一の符号を付して説明する。本実施の形態の地上デジタルＴＶ放送システムは、図１に示すように、放送所１０と、放送所２０と、中継放送所３０と、ＴＶ受像機４０とから構成されている。
【００２１】
次に、図１に示す地上デジタルＴＶ放送システムの各部を具体的に説明する。
放送所１０は、リンクしたマイクロ回線のマイクロ波を取り込むＳＴＬ装置用空中線１１と、取り込んだマイクロ波をＳＴＬ受信するＳＴＬ受信装置１２と、ＳＴＬ受信した信号を放送波に変調する放送機１５と、変調された放送波を送出する放送機用空中線１６とから構成されている。
【００２２】
放送所２０は、放送機空中線１６から送出された放送波を取り込む簡易ＴＴＬ装置用空中線２７と、取り込まれた放送波を簡易的にＴＴＬ受信する簡易ＴＴＬ受信装置（簡易ＴＴＬ  ＲＸ）２８と、簡易的にＴＴＬ受信された信号を放送波に変調する放送機２５と、変調された放送波を送出する放送機用空中線２６とから構成されている。
尚、本発明の特徴部分である簡易ＴＴＬ受信装置の構成及び動作は後述する。
【００２３】
また、中継放送所３０は、放送機空中線１６から送出された放送波を取り込む簡易ＴＴＬ装置用空中線３７と、取り込まれた放送波を簡易的にＴＴＬ受信する簡易ＴＴＬ受信装置（簡易ＴＴＬ  ＲＸ）３８と、簡易的にＴＴＬ受信された信号をＴＴＬ送信するＴＴＬ送信装置（ＴＴＬ  ＴＸ）３３と、ＴＴＬ送信された信号をリンクするマイクロ回線にマイクロ波として送出するＴＴＬ装置用空中線３４と、簡易ＴＴＬ受信装置３８で簡易的にＴＴＬ受信された信号を放送波に変調する放送機３５と、変調された放送波を送出する放送機用空中線３６とから構成されている。
また、ＴＶ受像機４０は、放送機空中線１６から送出された放送波を受信して、ＴＶ放映を行うものである。
【００２４】
図１の地上デジタルＴＶ放送システムにおける動作は、スタジオから送信されたＴＶ放送のデジタル信号がリンクするマイクロ回線を経由して放送所１０のＳＴＬ装置用空中線１１を介してＳＴＬ受信装置１２で受信される。ＳＴＬ受信された信号は放送機１５で放送波に変調され、放送機用空中線１６を介して放送波が送出される。
【００２５】
放送所１０から送出された放送波は、放送所２０、中継放送所３０、ＴＶ受像機４０で受信される。
放送所２０では、放送波を簡易ＴＴＬ装置用空中線２７を介して簡易ＴＴＬ受信装置２８で簡易的にＴＴＬ受信し、放送機２５で放送波に変調し、放送機用空中線２６を介して放送波が送出される。この送出された放送波は別の放送所又は別のＴＶ受像機で受信されるようになっている。
尚、簡易ＴＴＬ受信装置２８における同期をとることができる受信動作については後述する。
【００２６】
中継放送所３０では、放送波を簡易ＴＴＬ装置用空中線３７を介して簡易ＴＴＬ受信装置３８で簡易的にＴＴＬ受信し、ＴＴＬ送信装置３３でＴＴＬ送信された信号がＴＴＬ装置用空中線３４を介してリンクするマイクロ回線に送出され、次段の中継放送所で受信されるようになっており、また、ＴＴＬ受信された信号を送信機３５で放送波に変調して放送機用空中線３６を介して送出され、別の放送所又は別のＴＶ受像機で受信されるようになっている。
【００２７】
次に、本発明の実施の形態に係る簡易ＴＴＬ受信装置の内部構成について図２、図３を用いて説明する。図２は、本発明の実施の形態に係る簡易ＴＴＬ受信装置内部の構成ブロック図であり、図３は、本発明の実施の形態に係るＣＰ／ＳＰ同期選択回路の具体的回路構成を示す構成ブロック図である。
【００２８】
簡易ＴＴＬ受信装置は、図２に示すように、バンドパスフィルタ（ＢＰＦ）５１と、バンドパスフィルタ（ＢＰＦ）５２ａ，５２ｂ，５２ｃと、ＣＰ同期回路（ＣＰ同期）５３ａ，５３ｂ，５３ｃと、ＳＰ同期回路（ＳＰ同期）５４ａ，５４ｂ，５４ｃと、スイッチ５５ａ，５５ｂ，５５ｃと、スイッチ５６と、バンドパスフィルタ（ＢＰＦ）５７と、ｆ比較回路（ｆ比較）５８と、スイッチ５９と、レジスタ６０と、Ｄ／Ａ変換器（Ｄ／Ａ）６１と、ＶＣＸＯ６２と、ＰＬＬ６３と、温度検出回路（温度検出）６４と、湿度検出回路（湿度検出）６５と、タイマ６６と、ｆ差分判定回路（ｆ差分判定）６７と、ＯＲ回路（ＯＲ）６８と、周波数変換部６９と、バンドパスフィルタ（ＢＰＦ）７０とから構成されている。
【００２９】
ここで、バンドパスフィルタ５２ａ〜５２ｃ、ＣＰ同期回路５３ａ〜５３ｃ、ＳＰ同期回路５４ａ〜５４ｃ、スイッチ５５ａ〜５５ｃがＣＰ／ＳＰ同期切替回路に相当する。
また、スイッチ５６がＣＰ／ＳＰ同期選択回路に相当する。
また、バンドパスフィルタ５７、ｆ比較回路５８、スイッチ５９、レジスタ６０、Ｄ／Ａ変換器６１、ＶＣＸＯ６２、ＰＬＬ６３、温度検出回路６４、湿度検出回路６５、タイマ６６、ｆ差分判定回路６７、ＯＲ回路６８が同期回路に相当する。
【００３０】
また、各スイッチ５５ａ〜５５ｃは切替制御を行う制御回路（図示せず）によって制御されるものであり、スイッチ５６は図３の具体的回路によって切替制御を行うものであり、スイッチ５９はＯＲ回路６８からの切替制御信号によって切替制御されるものである。また、それぞれの切替条件は、以下に説明する特定条件の場合に、切替制御が為される。
【００３１】
次に、本発明の実施の形態に係る簡易ＴＴＬ受信装置内の各部を説明する。
バンドパスフィルタ５１は、入力したＵＨＦ放送波の帯域制限を行う。
バンドパスフィルタ５２ａ，５２ｂ，５２ｃは、入力したＵＨＦ放送波を異なる帯域において帯域制限を行う。
ＣＰ同期回路（ＣＰ同期）５３ａ，５３ｂ，５３ｃは、時間軸上に連続する周波数のパイロット信号：ＣＰ（Continual pilot）の同期を取得する。
ＳＰ同期回路（ＳＰ同期）５４ａ，５４ｂ，５４ｃは、時間軸上に点在する周波数のパイロット信号：ＳＰ（Scattered pilot ）の同期を取得する。
【００３２】
スイッチ５５ａ，５５ｂ，５５ｃは、制御回路（図示せず）からの制御によって特定条件の場合にＣＰ同期回路５３又はＳＰ同期回路５４のいずれかを選択し、周波数の引き込みを行う。
この特定条件とは、電源投入時及び受信入力電界レベル低下時にはＣＰ同期をとり、これ以外の条件ではＳＰ同期をとるものである。
【００３３】
スイッチ５６は、スイッチ５５ａ〜５５ｃのいずれかを特定条件の場合に選択する。
この特定条件とは、複数波のＵＨＦ放送波を受信しているときに受信状態のよい受信波を選択するものであり、各ＣＰ／ＳＰの平均値比較、個別周波数ｆの平均監視、受信入力電界レベル低下監視、それぞれの周波数ｆの全体平均監視を行い、その結果、スイッチ５５ａ〜５５ｃのいずれかを選択して受信状態のよい受信波を引き込む。
【００３４】
ここで、スイッチ５６を実現する具体的回路について図３を用いて説明する。図３は、スイッチ５６の回路構成ブロック図である。
図３に示すように、スイッチ５６は、ＣＰ／ＳＰ部７１ａ〜７１ｃと、平均化回路７２と、比較回路７３とから構成されている。
【００３５】
ＣＰ／ＳＰ部７１は、図２におけるバンドパスフィルタ５２、ＣＰ同期回路５３、ＳＰ同期回路５４、スイッチ５５に相当するもので、図３における説明を簡単にするために総合してＣＰ／ＳＰ部としている。
【００３６】
平均化回路７２は、ＣＰ／ＳＰ部７１ａ〜７１ｃから入力される信号の平均化を行い、平均値を比較回路７３に出力する。
比較回路７３は、平均化回路７２から入力される平均値及び入力される受信入力電界レベルに従ってＣＰ／ＳＰ部７１ａ〜７１ｃから入力される信号を選択して出力する。
比較回路７３における選択条件は、スイッチ５６の特定条件で説明した条件に従うものである。
【００３７】
バンドパスフィルタ５７は、スイッチ５６で選択された信号の帯域制限を行う。
ｆ比較回路５８は、バンドパスフィルタ５７からの周波数とＶＣＸＯ６２から出力される周波数とを比較し、両周波数の差分を出力する。
スイッチ５９は、ＯＲ回路６８からの切替制御信号によりｆ比較回路５８からの出力をレジスタ６０に入力させるか、入力させないかを制御するスイッチである。
【００３８】
レジスタ６０は、スイッチ５９を介してｆ比較回路５８から入力された信号を一時的に記憶する記憶手段である。
Ｄ／Ａ変換器６１は、レジスタ６０に記憶されたデジタル信号をアナログ信号に変換する変換器である。
ＶＣＸＯ（Voltage Controlled Xtal Oscillator）６２は、電圧によって周波数を可変にする水晶発振器である。
【００３９】
ＰＬＬ（Phase Locked Loop ）６３は、ＶＣＸＯ６２から出力される信号の位相に同期する信号を出力する位相同期ループである。
温度検出回路６４は、ＶＣＸＯ６２における温度を検出し、特定の温度以上となった場合に温度変化の信号をＯＲ回路６８に出力する。
湿度検出回路６５は、ＶＣＸＯ６２における湿度を検出し、特定の湿度以上となった場合に湿度変化の信号をＯＲ回路６８に出力する。
【００４０】
タイマ６６は、一定時間経過した場合に経過を知らせる信号をＯＲ回路６８に出力する。
ｆ差分判定回路６７は、ｆ比較回路５８で比較された周波数の差分が入力され、周波数の変動量を判定し、特定の周波数の変動量となった場合に周波数変動の信号をＯＲ回路６８に出力する。
ＯＲ回路６８は、温度検出回路６４からの温度変化の信号、湿度検出回路６５からの湿度変化の信号、ｆ差分判定回路６７からの周波数変動の信号、タイマ６６からの一定時間経過を知らせる信号を入力し、論理和を出力する。つまり、これら信号の一つでもＯＲ回路６８に入力された場合には、スイッチ５９に対してスイッチをオンとする切替制御信号を出力する。これら信号の一つも入力されていなければスイッチ５９はオフの状態となる。
【００４１】
周波数変換部６９は、バンドパスフィルタ５１を介して入力されるＵＨＦ放送波の周波数をＰＬＬ６３から入力される信号に従って周波数変換を行うものであり、具体的には２入力の周波数を乗算して周波数変換するミキサとなっている。バンドパスフィルタ７０は、周波数変換部６９から入力される信号を帯域制限するフィルタである。
【００４２】
この簡易ＴＴＬ受信装置での動作は、受信した１波または複数波のＵＨＦ放送波は分配され、各受信周波数のＢＰＦ５２ａ〜５２ｃを通し、ＣＰ同期回路５３、ＳＰ同期回路５４のＣＰ／ＳＰ同期切替回路に入力される。ここではＣＰ同期、ＳＰ同期の選択を行う。選択（切換）条件は、（１）電源投入時、（２）受信入力電界レベル低下時にスイッチ５５を動作させ、ＣＰ同期側を選択し、周波数の引き込みを行う。それ以外の時はＳＰ同期側を選択し、自動周波数制御を行っている。
【００４３】
スイッチ５６のＣＰ／ＳＰ同期選択回路では、複数波のＵＨＦ放送波を受信しているときに条件の良いものを選択し使用する。切換条件（切換監視項目）は、（１）各ＣＰ／ＳＰの平均化比較、（２）個別周波数の平均監視、（３）受信入力電界レベル低下監視、（４）それぞれの周波数の全体平均監視を項目とする。この切換監視項目で最も良い条件の受信放送波を選択する。
【００４４】
同期回路では、通常、ＶＣＸＯ６２はＣ／Ｎ劣化防止のためフリーランで動作しているが、次の条件の時にスイッチ５９がＯＮとなりＶＣＸＯ６２を引き込み直す。条件は、（１）周囲温度の変化、（２）周囲湿度の変化、（３）周波数の変動、（４）一定時間の経過後であり、これら条件の少なくとも１つが該当するとスイッチ５９がＯＮとなる。
【００４５】
そして、温度、湿度、周波数変動、一定時間経過の条件によってＶＣＸＯ６２の引き込み直しが行われ、ＶＣＸＯ６２の出力信号の位相に同期する信号をＰＬＬ６３が周波数変換部６９に出力し、ＢＰＦ５１から入力されるＵＨＦ放送受信波をＰＬＬ６３の信号で周波数変換し、ＢＰＦ７０を介してＴＴＬ送信装置（ＴＴＬ  ＴＸ）又は放送機に出力する。
【００４６】
このようにＵＨＦ放送波から、基準信号を作り出し、ＰＬＬを構成することで、送られてきたＵＨＦ放送波と周波数同期のとれた信号を次段に送出することができるものである。
【００４７】
本発明の実施の形態に係る簡易ＴＴＬ受信装置によれば、従来、全リンク区間（マイクロ回線部分）にマイクロ波帯の周波数を割り当てる必要があったが、当該区間（放送所１０と放送所２０の間、及び放送所１０と中継放送所３０の間）ではリンク用の周波数が不要となり、周波数の削減が可能となる。
【００４８】
さらに、本発明の実施の形態に係る簡易ＴＴＬ受信装置によれば、周波数同期回路を取り入れることで、超高安定の基準発振器を使用しないでも、送られてきたＵＨＦ放送波と周波数同期のとれた信号を次段に送出できるようになる。
【００４９】
また、本発明の実施の形態に係る簡易ＴＴＬ受信装置を用いた別の実施の形態を図４を用いて説明する。図４は、本発明の別の実施の形態に係る地上デジタルＴＶ放送システムの一部の構成ブロック図である。
図４に示す地上デジタルＴＶ放送システムは、中継放送所１０と、放送所２０とから構成されている。
そして、中継放送所１０は、ＳＴＬ装置用空中線１１と、ＳＴＬ受信装置（ＳＴＬ  ＲＸ）１２と、ＴＴＬ送信装置（ＴＴＬ  ＴＸ）１３と、ＴＴＬ装置用空中線１４と、放送機１５と、放送機用空中線１６とから構成されている。
放送所２０は、ＴＴＬ装置用空中線１４と、ＴＴＬ受信装置（ＴＴＬ  ＲＸ）２２と、放送機２５と、放送機用空中線２６と、簡易ＴＴＬ装置用空中線２７と、簡易ＴＴＬ受信装置（簡易ＴＴＬ  ＲＸ）２８と、現用／予備切替器２９とから構成されている。
【００５０】
図４における各部は、図１又は図５に示した各部と同様であるが、特に、図５と相違するところは、放送所２０において、簡易ＴＴＬ装置用空中線２７、簡易ＴＴＬ受信装置２８、現用／予備切替器２９を設けている点である。
【００５１】
つまり、放送所２０ではＴＴＬ装置用空中線２１を介してＴＴＬ受信装置２２でリンクするマイクロ回線からマイクロ波を受信すると共に並行して放送波を簡易ＴＴＬ装置用空中線２７を介して簡易ＴＴＬ受信装置２８で受信する。これは、２波周波数ダイバシチを構成するものである。
【００５２】
そして、現用／予備切替器２９で、通常はＴＴＬ受信装置２２を現用としてその出力を選択し、現用のＴＴＬ受信装置２２が故障等した場合には、簡易ＴＴＬ受信装置２８を予備としてその出力を選択し、放送機２５で放送波に変調されて放送機用空中線２６から送出される。
【００５３】
次に、図４の地上デジタル放送システムの動作を説明する。
中継放送所１０において、ＳＴＬ装置用空中線１１に入力された信号は、ＳＴＬ受信装置１２で放送機１５に渡す信号とＴＴＬ送信装置１３に渡す信号にそれぞれ変換される。放送機１５に入力された信号は増幅され、放送機用空中線１６から放送波として出力される。ＴＴＬ送信装置１３は次段の放送所２０に向け信号を送信する。
【００５４】
放送所２０において、ＴＴＬ装置用空中線２１に入力された信号は、現用のＴＴＬ受信装置２２に入力される。一方、予備の簡易ＴＴＬ受信装置２８は簡易ＴＴＬ装置用空中線２７を介して放送波を受信する。現用のＴＴＬ受信装置２２と予備の簡易ＴＴＬ受信装置２８により、２波周波数ダイバシチを構成することができる。
【００５５】
現用／予備切換器２９により、現用／予備を切換運用する。この方式を採用することで、従来、１区間で２波周波数ダイバシチを構成するにはリンク用の周波数２波が必要とされていたが、予備系は放送波を直接受信するようにしているので、当該区間において、リンク用周波数１波の割り当てと放送波直接受信で２波周波数ダイバシチを構成することができ、周波数を削減し、周波数の有効利用を図ることが可能となる。
【００５６】
本発明の実施の形態に係る簡易ＴＴＬ受信装置によれば、放送波に対して周波数同期がとれる（リンクがとれる）信号を次段に送出できるようにしているので、簡易的なＴＴＬ受信装置として動作させることができ、これにより、従来技術では全リンク区間に周波数の割り当てが必要であったものを、当該区間はリンク用周波数が不要となり、周波数の削減が可能で、周波数の有効利用を図ることができる効果がある。
【００５８】
【発明の効果】
本発明によれば、地上デジタルＴＶ放送における放送波を受信する受信手段と、受信した放送波を異なる帯域において帯域制限して複数分岐させる分岐手段と、異なる帯域において帯域制限された複数の受信波から時間軸上に連続するパイロット信号のコンティニュアルパイロット（ＣＰ）同期又は時間軸上に点在するパイロット信号のスキャタードパイロット（ＳＰ）同期のいずれかを出力するＣＰ／ＳＰ同期切替回路と、ＣＰ／ＳＰ同期切替回路からの複数出力の内で、受信状態の良いいずれかの信号を選択するＣＰ／ＳＰ同期選択回路と、電圧によって周波数を可変する発振器、発振器から出力される信号の位相に同期する信号を出力する位相同期ループ、温度変化、湿度変化、周波数変動、一定時間経過のうち少なくとも１つが設定した値を超えた場合に、ＣＰ／ＳＰ同期選択回路で選択された信号と前記発振器からの出力信号との差分を前記発振器に入力するスイッチを有する同期回路と、受信した放送波を同期回路からの出力信号で周波数変換する周波数変換手段とを有する簡易ＴＴＬ受信装置としているので、地上デジタルＴＶ放送における周波数割り当てを少なくし、周波数の有効利用を図ることができる効果がある。
【図面の簡単な説明】
【図１】本発明の実施の形態に係る簡易ＴＴＬ装置が用いられる地上デジタルＴＶ放送システムの構成ブロック図である。
【図２】本発明の実施の形態に係る簡易ＴＴＬ受信装置内部の構成ブロック図である。
【図３】本発明の実施の形態に係るＣＰ／ＳＰ同期選択回路の具体的回路構成を示す構成ブロック図である。
【図４】本発明の別の実施の形態に係る地上デジタルＴＶ放送システムの一部の構成ブロック図である。
【図５】従来の地上デジタルＴＶ放送システムの一部を示す構成ブロック図である。
【符号の説明】
１０…放送所、  １１…ＳＴＬ装置用空中線、  １２…ＳＴＬ受信装置、  １３…ＴＴＬ送信装置、  １４…ＴＴＬ装置用空中線、  １５…放送機、  １６…放送機用空中線、  ２０…放送所、  ２１…ＴＴＬ装置用空中線、  ２２…ＴＴＬ受信装置、  ２３…ＴＴＬ送信装置、  ２４…ＴＴＬ装置用空中線、  ２５…放送機、  ２６…放送機用空中線、  ２７…簡易ＴＴＬ装置用空中線、  ２８…簡易ＴＴＬ受信装置、  ２９…現用／予備切替器、  ３０…中継放送所、  ３３…ＴＴＬ送信装置、  ３４…ＴＴＬ装置用空中線、  ３５…放送機、  ３６…放送機用空中線、  ３７…簡易ＴＴＬ装置用空中線、  ３８…簡易ＴＴＬ受信装置、  ５１…ＢＰＦ、  ５２ａ，ｂ，ｃ…ＢＰＦ、  ５３ａ，ｂ，ｃ…ＣＰ同期回路、  ５４ａ，ｂ，ｃ…ＳＰ同期回路、  ５５ａ，ｂ，ｃ…スイッチ、  ５６…スイッチ、  ５７…ＢＰＦ、  ５８…ｆ比較回路、  ５９…スイッチ、  ６０…レジスタ、  ６１…Ｄ／Ａ変換器、  ６２…ＶＣＸＯ、  ６３…ＰＬＬ、  ６４…温度検出回路、  ６５…湿度検出回路、  ６６…タイマ、  ６７…ｆ差分判定回路、  ６８…ＯＲ回路、  ６９…周波数変換部、  ７０…ＢＰＦ
【図１】
0004392110.tif 000002
【図２】
0004392110.tif 000003
【図３】
0004392110.tif 000004
【図４】
0004392110.tif 000005
【図５】
0004392110.tif 000006